(57)【要約】【課題】音声信号のレベル変動に対して高速応答が可能な音質調整装置を提供する。【解決手段】音質調整装置は、入力音声信号から低音域を抽出するＬＰＦ１と、入力音声信号から高音域を抽出するＨＰＦ２と、ＬＰＦ１によって抽出された低音域の音声信号に対してその入力レベルに応じたダイナミックレンジ伸張・圧縮を行うバスブースト回路３と、ＨＰＦ２によって抽出された高音域の音声信号に対してその入力レベルに応じたダイナミックレンジ伸張・圧縮を行うトレブルブースト回路４と、入力音声信号とバスブースト回路３から出力された音声信号とトレブルブースト回路４とから出力された音声信号とを加算する加算器８とを有する。【選択図】  図１
2006340328.tif 000002
【特許請求の範囲】
【請求項１】
マルチチャンネルの音声信号のうち少なくとも１つについて、
入力音声信号から所望の周波数帯域の音声信号を抽出するフィルタ回路と、
このフィルタ回路によって抽出された音声信号に対してその入力レベルに応じたダイナミックレンジ伸張・圧縮を行うブースト回路と、
前記入力音声信号と前記ブースト回路から出力された音声信号とを加算する加算器とを有することを特徴とする音質調整装置。
【請求項２】
請求項１記載の音質調整装置において、
前記少なくとも１つの音声信号について、さらに前記フィルタ回路によって抽出された音声信号を前記入力音声信号から減算する減算器を有し、
前記加算器は、前記減算後の入力音声信号と前記ブースト回路から出力された音声信号とを加算することを特徴とする音質調整装置。
【請求項３】
請求項１又は２記載の音質調整装置において、
前記少なくとも１つの音声信号について、さらに前記フィルタ回路と前記ブースト回路との間に、前記フィルタ回路によって抽出された音声信号のレベル低下に応じて出力レベルを漸次減衰させるディケイ処理を行うディケイ処理回路を有することを特徴とする音質調整装置。
【請求項４】
請求項１乃至３のいずれか１項に記載の音質調整装置において、
さらに、前記マルチチャンネルの音声信号のうちの最大レベルに応じた共通のゲイン係数により各チャンネルの音声信号のダイナミックレンジ伸張・圧縮を行うノーマライズ処理回路を有することを特徴とする音質調整装置。
【請求項５】
請求項１乃至３のいずれか１項に記載の音質調整装置において、
さらに、前記マルチチャンネルの音声信号の最大レベルを音声信号の組毎に検出して、組毎の最大レベルに応じた組毎に共通のゲイン係数により各チャンネルの音声信号のダイナミックレンジ伸張・圧縮を行うノーマライズ処理回路を有することを特徴とする音質調整装置。
【発明の詳細な説明】
【技術分野】
【０００１】
本発明は、各種オーディオ装置やテレビ受像機における音質調整装置に関するものである。
【背景技術】
【０００２】
従来、各種オーディオ装置における音質調整装置としては、例えば特許文献１、特許文献２に開示されたものがある。図１０は、特許文献１、特許文献２に開示された音質調整装置の構成を示すブロック図である。この音質調整装置は、Ｌ（左）、Ｒ（右）の２チャンネルの入力音声信号をそれぞれアッテネータ１００ａ，１００ｂで減衰させ、これらの音声信号の特定周波数帯域のレベルをトーンフィルタ１０１ａ，１０１ｂで増強し、増強処理終了後の音声信号のレベルをレベル判定部１０２で判定し、このレベル判定の結果に基づいて増強量算出部１０３がトーンフィルタ１０１ａ，１０１ｂのフィルタ係数を変化させて増強量を調整することにより、音質調整を実現するものである。
【０００３】
【特許文献１】特許第３２０６２７１号公報
【特許文献２】特許第３３２９０５０号公報
【発明の開示】
【発明が解決しようとする課題】
【０００４】
しかしながら、図１０に示した音質調整装置では、トーンフィルタで処理した後の音声信号のレベルを検出して、フィードバック制御でトーンフィルタの増強量を調整するようにしているため、入力音声信号の急激なレベル変動に対して増強量調整に遅延が生じるという問題点があった。このため、入力音声信号が急激に増大すると、フィードバック制御で増強量が抑制されるまでに時間がかかるので、例えばディジタル信号処理のオーバーフローに起因するクリップ状態が生じ、増強量調整のつなぎ目でクリップ音が発生してしまう可能性があった。
【０００５】
本発明は、上記課題を解決するためになされたもので、音声信号のレベル変動に対して高速応答が可能な音質調整装置を提供することを目的とする。
【課題を解決するための手段】
【０００６】
本発明の音質調整装置は、マルチチャンネルの音声信号のうち少なくとも１つについて、入力音声信号から所望の周波数帯域の音声信号を抽出するフィルタ回路と、このフィルタ回路によって抽出された音声信号に対してその入力レベルに応じたダイナミックレンジ伸張・圧縮を行うブースト回路と、前記入力音声信号と前記ブースト回路から出力された音声信号とを加算する加算器とを有するものである。
また、本発明の音質調整装置の１構成例は、前記少なくとも１つの音声信号について、さらに前記フィルタ回路によって抽出された音声信号を前記入力音声信号から減算する減算器を有し、前記加算器は、前記減算後の入力音声信号と前記ブースト回路から出力された音声信号とを加算するものである。
また、本発明の音質調整装置の１構成例は、前記少なくとも１つの音声信号について、さらに前記フィルタ回路と前記ブースト回路との間に、前記フィルタ回路によって抽出された音声信号のレベル低下に応じて出力レベルを漸次減衰させるディケイ処理を行うディケイ処理回路を有するものである。
また、本発明の音質調整装置の１構成例は、さらに、前記マルチチャンネルの音声信号のうちの最大レベルに応じた共通のゲイン係数により各チャンネルの音声信号のダイナミックレンジ伸張・圧縮を行うノーマライズ処理回路を有するものである。
また、本発明の音質調整装置の１構成例は、さらに、前記マルチチャンネルの音声信号の最大レベルを音声信号の組毎に検出して、組毎の最大レベルに応じた組毎に共通のゲイン係数により各チャンネルの音声信号のダイナミックレンジ伸張・圧縮を行うノーマライズ処理回路を有するものである。
【発明の効果】
【０００７】
本発明によれば、フィルタ回路によって抽出した音声信号のレベルに応じて、この音声信号のダイナミックレンジ伸張・圧縮を行うフィードフォワード構成を採用したことにより、従来の音質調整装置に比べて、音声信号のレベル変動に対する高速応答が可能である。その結果、本発明では、入力音声信号が急激に増大したとしても、クリップ音が発生することがなくなる。
【０００８】
また、本発明では、フィルタ回路によって抽出された音声信号を入力音声信号から減算する減算器を設けることにより、音質調整を行う周波数帯域でディップが発生することがなくなり、音声の周波数特性をなだらかにつなげることができる。
【０００９】
また、本発明では、フィルタ回路とブースト回路との間にディケイ処理回路を設けることにより、音質調整装置から出力される音声信号の急激過ぎるレベル変動を抑え、視聴者に自然な聴感を与えることができる。
【００１０】
また、本発明では、マルチチャンネルの音声信号のうちの最大レベルに応じた共通のゲイン係数により各チャンネルの音声信号のダイナミックレンジ伸張・圧縮を行うノーマライズ処理回路を設けることにより、大音量時に音が大きくなりすぎるという不具合を解消しながら、小音量になったときに音が聞こえ難くなることを回避することができる。また、本発明によれば、オーディオソースなどの違いによる音量差を低減し、ユーザの頻繁なボリューム操作を不要にすることができる。
【発明を実施するための最良の形態】
【００１１】
［第１の実施の形態］
以下、本発明の実施の形態について図面を参照して説明する。図１は本発明の第１の実施の形態となる音質調整装置の構成を示すブロック図である。本実施の形態の音質調整装置は、ローパスフィルタ（以下、ＬＰＦとする）１と、ハイパスフィルタ（以下、ＨＰＦとする）２と、バスブースト回路３と、トレブルブースト回路４と、乗算器５，６，７と、加算器８とを有する。
【００１２】
以下、本実施の形態の音質調整装置の動作について説明する。ＩＩＲ（Infinite Impulse Response ）フィルタであるＬＰＦ１は、入力音声信号（以下、第１の音声信号とする）から例えば数百Ｈｚ以下の低音域の第２の音声信号を抽出する。バスブースト回路３は、ＬＰＦ１によって抽出された第２の音声信号に対してその入力レベルに応じたダイナミックレンジ伸張・圧縮を行う。
【００１３】
図２はバスブースト回路３の１構成例を示すブロック図である。バスブースト回路３は、増幅器３０と、レベル検出部３１と、ゲインテーブル３２とから構成される。レベル検出部３１は、ＬＰＦ１から出力された第２の音声信号のレベルを検出する。ゲインテーブル３２には、音声信号の入力レベルと増幅器３０のゲイン係数とが予め対応付けられて記憶されている。ゲインテーブル３２は、レベル検出部３１によって検出されたレベルに対応するゲイン係数を読み出して増幅器３０に出力する。なお、ゲインテーブル３２に記憶される入力レベルとゲイン係数との関係には、リニア−対数変換、ｒａｔｉｏ計算、対数−リニア変換の処理が組み込まれている。したがって、ゲインテーブル３２で変換された値を直接、入力データのゲインとすることができる。増幅器３０は、ＬＰＦ１から出力された第２の音声信号にゲインテーブル３２から出力されたゲイン係数を乗算して、乗算後の第２の音声信号を出力する。こうして、音声信号のレベルに応じたダイナミックレンジ伸張・圧縮を行うことができる。
【００１４】
一方、ＩＩＲフィルタであるＨＰＦ２は、入力された第１の音声信号から例えば数ｋＨｚ以上の高音域の第３の音声信号を抽出する。トレブルブースト回路４は、ＨＰＦ２によって抽出された第３の音声信号に対してその入力レベルに応じたダイナミックレンジ伸張・圧縮を行う。トレブルブースト回路４の構成はバスブースト回路３と同様である。
【００１５】
乗算器５，６，７は、それぞれ第１の音声信号、バスブースト回路３から出力された第２の音声信号、トレブルブースト回路４から出力された第３の音声信号にゲイン係数を乗算して所望のレベルに調整する。そして、加算器８は、乗算器５，６，７から出力された第１の音声信号と第２の音声信号と第３の音声信号とを加算する。
【００１６】
図３にバスブースト回路３の入出力特性の１例を示す。図３の横軸はＬＰＦ１によって抽出された第２の音声信号の入力レベル、縦軸はバスブースト回路３の出力レベルである。ｌｉｎｅａｒは入力と出力のレベルが１：１のリニア特性を示す。図３に示すように、小音量の場合はゲインを大きくして（入出力特性の傾きが大）、低音域の成分を強調するようにし、大音量の場合はゲインを小さくして（入出力特性の傾きが小）、低音域の強調を抑えるようにしている。
【００１７】
なお、０ｄＢ近傍の入力レベルではバスブースト回路３の出力レベルを急激に低下させているが、このように出力レベルを低下させる理由は、出力のクリップを防ぐためである。つまり、本実施の形態の音質調整装置では、第１の音声信号に存在する低音域の成分とこの第１の音声信号から抽出してバスブースト回路３で強調した低音域の成分とを加算することになるため、大音量の場合に出力がクリップする可能性がある。そこで、入力レベルが非常に大きいときはバスブースト回路３の出力レベルを低下させることでクリップの発生を防止する。
【００１８】
また、図３に示すように、バスブースト回路３の入出力特性を、ＭＩＮ（低音域の強調効果が小）、ＭＩＤ（強調効果が中庸）、ＭＡＸ（強調効果が大）というように予め複数種類用意しておいてもよい。この場合には、ゲインテーブル３２が、それぞれの入出力特性に対応した複数のテーブルを内部に有することになる。そして、ＭＩＮ、ＭＩＤ、ＭＡＸのうちいずれかをユーザに選択させるようにすればよい。トレブルブースト回路４の入出力特性についても、図３と同様に設定すればよい。
【００１９】
以上のように、本実施の形態では、第１の音声信号から抽出した低音域成分をバスブースト回路３で強調して第１の音声信号に加えるため、全体音量における低音域の音量が一定量に近づき、低音域成分が少ないソースの場合でも音に迫力を出すことができる。同様に、第１の音声信号から抽出した高音域成分をトレブルブースト回路４で強調して第１の音声信号に加えるため、高音域成分が少ないソースの場合でも音にメリハリを持たせることができる。
【００２０】
そして、本実施の形態では、ＬＰＦ１、ＨＰＦ２によって抽出した低音域成分、高音域成分のレベルに応じて低音域成分、高音域成分のダイナミックレンジ伸張・圧縮を行うフィードフォワード構成を採用し、音質調整後の音声信号のレベルのフィードバックを使用していないため、図１０に示した音質調整装置に比べて、音声信号のレベル変動に対する高速応答が可能である。その結果、本実施の形態では、入力音声信号が急激に増大したとしても、このレベル増大に応じて低音域や高音域の強調を速やかに抑制することができるので、クリップ音が発生することがなくなる。
【００２１】
［第２の実施の形態］
次に、本発明の第２の実施の形態について説明する。図４は本発明の第２の実施の形態となる音質調整装置の構成を示すブロック図であり、図１と同様の構成には同一の符号を付してある。本実施の形態の音質調整装置は、第１の実施の形態の音質調整装置に対して減算器９，１０を追加したものである。減算器９は、ＬＰＦ１によって抽出された低音域の第２の音声信号を第１の音声信号から減算し、減算後の第１の音声信号を出力する。減算器１０は、ＨＰＦ２によって抽出された高音域の第３の音声信号を減算器９の出力音声信号から減算し、減算後の第１の音声信号を出力する。他の構成要素の動作は第１の実施の形態と同様である。
【００２２】
こうして、本実施の形態では、第１の実施の形態と同様の効果に加えて、さらに以下のような効果が得られる。第１の実施の形態では、第１の音声信号に存在する低音域や高音域の成分とこの第１の音声信号から抽出してブースト回路３，４で強調した低音域や高音域の成分とを加算することになるため、低音域や高音域で不自然なディップ（音の落ち込み）が発生する可能性があり、音声の周波数特性がなだらかにつながらなくなる可能性がある。これに対して、本実施の形態では、減算器９により第１の音声信号から低音域を切り出し、また減算器１０により第１の音声信号から高音域を切り出しているため、減算器１０を通過した第１の音声信号は中音域の成分のみを有することになる。したがって、加算器８による加算時に、第１の音声信号の低音域成分と第２の音声信号の低音域成分とが加算されたり、第１の音声信号の高音域成分と第３の音声信号の高音域成分とが加算されたりすることがなくなるので、低音域や高音域でディップが発生することがなくなり、音声の周波数特性をなだらかにつなげることができる。
【００２３】
図５に本実施の形態のバスブースト回路３の入出力特性の１例を示す。本実施の形態においても、バスブースト回路３の入出力特性は第１の実施の形態と同様に設定すればよいが、第１の実施の形態では０ｄＢ近傍の入力レベルでバスブースト回路３の出力レベルを急激に低下させているのに対し、本実施の形態では前述のように低音域や高音域でディップが発生する恐れがないので、０ｄＢ近傍の入力レベルで出力レベルを低下させる必要はない。トレブルブースト回路４の入出力特性についても、図５と同様に設定すればよい。
【００２４】
［第３の実施の形態］
次に、本発明の第３の実施の形態について説明する。図６は本発明の第３の実施の形態となる音質調整装置の構成を示すブロック図であり、図１、図４と同様の構成には同一の符号を付してある。本実施の形態の音質調整装置は、第２の実施の形態の音質調整装置において、ＬＰＦ１とバスブースト回路３との間にディケイ処理回路１１を追加したものである。
【００２５】
ディケイ処理回路１１は、ＬＰＦ１によって抽出された低音域の第２の音声信号のレベル低下に応じて出力レベルを漸次減衰させるディケイ処理を行う回路である。図７はディケイ処理回路１１の入出力の時間特性の１例を示す図である。図７の横軸は時間、縦軸は音声信号のレベルである。ＩＮはＬＰＦ１によって抽出された第２の音声信号を示し、ＯＵＴはディケイ処理回路１１の出力信号を示す。
【００２６】
ディケイ処理回路１１は、図７に示すように、インパルス状の音声信号ＩＮが入力されたとき、最大値をとった後に急激に減少する音声信号ＩＮに対して出力信号ＯＵＴのレベルをそれに追従させずに、リリースタイムを設けて漸次減衰させるようにしている。本実施の形態では、時間の経過と共に減衰率が非線形に増大するディケイ処理を行う。これにより、ＬＰＦ１によって抽出された低音域にインパルス状の変化が生じた直後は出力レベルの変化を抑え、ある程度時間が経過してから出力レベルの減衰を大きくしていくことにより、視聴者に自然な聴感を与えることができる。
【００２７】
このようなディケイ処理を実現するには、ディケイ処理回路１１に入力される音声信号を一定時間毎にサンプリングし、現時刻のサンプル値と１サンプル前の出力値とを比較し、レベルが高い方を現時刻の出力値として選択する。したがって、入力音声信号のレベルが上昇していく場合には、常に最新のサンプル値を選択することになり、ディケイ処理回路１１の出力レベルが入力レベルに応じて上昇することになる。一方、入力音声信号のレベルが低下していく場合には、１サンプル前の出力値を選択することになる。この場合は、１サンプル前の値を減衰させて現時刻の出力値とする。前述のように、このときの減衰率は時間と共に増大する。この出力値が、次のサンプリングでは１サンプル前の出力値としてレベル比較に使用される。
【００２８】
以上のように、本実施の形態では、ディケイ処理回路１１を設けることにより、低音域の急激過ぎるレベル変動を抑え、視聴者に自然な聴感を与えることができる。なお、本実施の形態では、ＬＰＦ１とバスブースト回路３との間にディケイ処理回路１１を設けているが、ＨＰＦ２とトレブルブースト回路４との間にもディケイ処理回路を設けてもよい。また、第１の実施の形態にディケイ処理回路を適用してもよい。
【００２９】
第１〜第３の実施の形態では、１チャンネルの音声信号についてのみ説明しているが、マルチチャンネルの音声信号について適用してもよい。この場合は、図１、図４又は図６に示した音質調整装置をチャンネル毎に設けることになる。また、音質調整は、全てのチャンネルについて行う必要はなく、少なくとも１つのチャンネルについて行うようにしてもよい。例えば、５．１チャンネルのサラウンドシステムの場合で考えたとき、フロントの左チャンネルをＬ（Left）ｃｈ、フロントの右チャンネルをＲ（Right ）ｃｈ、センタチャンネルをＣ（Center）ｃｈ、リアの左チャンネルをＳＬ（Surround Left ）ｃｈ、リアの右チャンネルをＳＲ（Surround Right）ｃｈ、サブウーハをＬＦＥ（Low Frequency Effects ）ｃｈとすると、音質調整の効果が高いのはＬｃｈ、Ｒｃｈ、Ｃｃｈなので、この３つのチャンネルについて個別に音質調整をすればよい。
【００３０】
また、音質調整は各チャンネル個別に行ってもよいが、共通のゲイン係数を使用するようにしてもよい。共通のゲイン係数を使用するには、例えばＬｃｈ、Ｒｃｈ、Ｃｃｈ用の各音質調整装置のトレブルブースト回路４において、ＨＰＦ２によって抽出されたＬｃｈ、Ｒｃｈ、Ｃｃｈの３つの音声信号の高域成分の中から最大のレベルをレベル検出部で検出し、この最大レベルに対応するゲイン係数をゲインテーブルから読み出すようにすればよい。これにより、Ｌｃｈ、Ｒｃｈ、Ｃｃｈの３つのチャンネルについて音質調整する場合、チャンネル毎に音質調整装置が必要となるが、レベル検出部とゲインテーブルについては３つのトレブルブースト回路４で共有化できるので、回路規模を削減することができる。
【００３１】
［第４の実施の形態］
次に、本発明の第４の実施の形態について説明する。図８は本発明の第４の実施の形態となる音質調整装置の構成を示すブロック図であり、図１、図４、図６と同様の構成には同一の符号を付してある。本実施の形態は、マルチチャンネル用の音質調整装置であり、Ｌｃｈ、Ｒｃｈ、Ｃｃｈ用の音質調整装置１２−Ｌ，１２−Ｒ，１２−Ｃを有し、さらに各チャンネルの音声信号の音量調整を行うノーマライズ処理回路１３を有するものである。音質調整装置１２−Ｌ，１２−Ｒ，１２−Ｃの構成は、第１〜第３の実施の形態で説明したもののいずれかでよい。
【００３２】
ノーマライズ処理回路１３は、増幅器１４−Ｌ，１４−Ｒ，１４−Ｃ，１４−ＳＬ，１４−ＳＲ，１４−ＬＦＥと、レベル検出部１５と、ゲインテーブル１６とから構成される。レベル検出部１５は、音質調整装置１２−Ｌ，１２−Ｒ，１２−Ｃによって音質調整されたＬｃｈ、Ｒｃｈ、Ｃｃｈの音声信号及び音質調整装置を通過しないＳＬｃｈ、ＳＲｃｈ、ＬＦＥｃｈの音声信号の中から最大レベルを検出する。
【００３３】
ゲインテーブル１６には、音声信号の入力レベルと増幅器１４−Ｌ，１４−Ｒ，１４−Ｃ，１４−ＳＬ，１４−ＳＲ，１４−ＬＦＥのゲイン係数とが予め対応付けられて記憶されている。ゲインテーブル１６は、レベル検出部１５によって検出された最大レベルに対応するゲイン係数を読み出して増幅器１４−Ｌ，１４−Ｒ，１４−Ｃ，１４−ＳＬ，１４−ＳＲ，１４−ＬＦＥに出力する。増幅器１４−Ｌ，１４−Ｒ，１４−Ｃ，１４−ＳＬ，１４−ＳＲ，１４−ＬＦＥは、それぞれＬｃｈ、Ｒｃｈ、Ｃｃｈ、ＳＬｃｈ、ＳＲｃｈ、ＬＦＥｃｈの音声信号にゲインテーブル１６から出力されたゲイン係数を乗算して、乗算後のＬｃｈ、Ｒｃｈ、Ｃｃｈ、ＳＬｃｈ、ＳＲｃｈ、ＬＦＥｃｈの音声信号を出力する。
【００３４】
図９にノーマライズ処理回路１３の入出力特性の１例を示す。図９の横軸はレベル検出部１５によって検出された入力レベル、縦軸はノーマライズ処理回路１３の出力レベルである。ここでは、Ｌｃｈ、Ｒｃｈ、Ｃｃｈ、ＳＬｃｈ、ＳＲｃｈ、ＬＦＥｃｈのうち、ある１チャンネルが最大レベルを示しているものとし、このチャンネルについて入出力特性を示している。図９に示すように、小音量の場合はゲインを大きくして、振幅を増強し、大音量の場合はゲインを小さくして、増強量を抑えるようにしている。
【００３５】
なお、バスブースト回路３やトレブルブースト回路４の場合と同様に、ノーマライズ処理回路１３の入出力特性を、ＭＩＮ、ＭＩＤ、ＭＡＸというように予め複数種類用意しておき、ユーザに所望の入出力特性を選択させるようにしてもよい。この場合には、ゲインテーブル１６が、それぞれの入出力特性に対応した複数のテーブルを内部に有することになる。
【００３６】
こうして、本実施の形態では、第１〜第３の実施の形態と同様の効果に加えて、さらに以下のような効果が得られる。すなわち、本実施の形態では、マルチチャンネルの音声信号のうちの最大レベルに応じた共通のゲイン係数により各チャンネルの音声信号のダイナミックレンジ伸張・圧縮を行うようにしたことにより、小音量の場合はノイズに隠れることのないように音量を上げ、大音量の場合は耳障りにならないように音量を下げることができる。
【００３７】
夜間において映画や音楽などのオーディオ再生を行う場合、近所迷惑にならないように再生音量を絞るのが一般的である。しかし、再生音量を絞ると、オーディオ装置から供給される音声信号が小音量であったときに再生音が聞こえ難くなり、オーディオ装置の再生音量を上げると、逆に大音量時に音が大きくなりすぎるという弊害を生じる。本実施の形態によれば、大音量時に音が大きくなりすぎるという不具合を解消しながら、小音量になったときに音が聞こえ難くなることを回避することができる。また、テレビ放送における番組とコマーシャルの音量の相違や、オーディオソースによる音量の相違により、ユーザが頻繁にボリュームを操作しなくてはならないことがある。本実施の形態によれば、オーディオソースなどの違いによる音量差を低減し、ユーザの頻繁なボリューム操作を不要にすることができる。
【００３８】
なお、本実施の形態では、各チャンネルで共通のゲイン係数を用いているが、チャンネル毎にレベル検出部を設けて、各チャンネルに個別のゲイン係数をそれぞれの増幅器１４−Ｌ，１４−Ｒ，１４−Ｃ，１４−ＳＬ，１４−ＳＲ，１４−ＬＦＥに与えるようにしてもよいし、チャンネルをいくつかの組に分けて、組毎にレベル検出部を設け、組毎に共通のゲイン係数を用いるようにしてもよい。音声信号の組としては、例えばＬｃｈとＲｃｈの組と、その他の信号の組といった分け方や、ＬｃｈとＲｃｈの組と、Ｃｃｈのみの組と、その他の信号の組といった分け方がある。
【産業上の利用可能性】
【００３９】
本発明は、オーディオ装置やテレビ受像機に適用することができる。
【図面の簡単な説明】
【００４０】
【図１】本発明の第１の実施の形態となる音質調整装置の構成を示すブロック図である。
【図２】本発明の第１の実施の形態におけるバスブースト回路の１構成例を示すブロック図である。
【図３】本発明の第１の実施の形態におけるバスブースト回路の入出力特性の１例を示す図である。
【図４】本発明の第２の実施の形態となる音質調整装置の構成を示すブロック図である。
【図５】本発明の第２の実施の形態におけるバスブースト回路の入出力特性の１例を示す図である。
【図６】本発明の第３の実施の形態となる音質調整装置の構成を示すブロック図である。
【図７】本発明の第３の実施の形態におけるディケイ処理回路の入出力の時間特性の１例を示す図である。
【図８】本発明の第４の実施の形態となる音質調整装置の構成を示すブロック図である。
【図９】本発明の第４の実施の形態におけるノーマライズ処理回路の入出力特性の１例を示す図である。
【図１０】従来の音質調整装置の構成を示すブロック図である。
【符号の説明】
【００４１】
１…ローパスフィルタ、２…ハイパスフィルタ、３…バスブースト回路、４…トレブルブースト回路、５，６，７…乗算器、８…加算器、９，１０…減算器、１１…ディケイ処理回路、１２−Ｌ，１２−Ｒ，１２−Ｃ…音質調整装置、１３…ノーマライズ処理回路、１４−Ｌ，１４−Ｒ，１４−Ｃ，１４−ＳＬ，１４−ＳＲ，１４−ＬＦＥ，３０…増幅器、１５，３１…レベル検出部、１６，３２…ゲインテーブル。
【図１】
2006340328.tif 000003
【図２】
2006340328.tif 000004
【図３】
2006340328.tif 000005
【図４】
2006340328.tif 000006
【図５】
2006340328.tif 000007
【図６】
2006340328.tif 000008
【図７】
2006340328.tif 000009
【図８】
2006340328.tif 000010
【図９】
2006340328.tif 000011
【図１０】
2006340328.tif 000012